(57)【要約】【課題】  誰でも簡単に正確な音階と良い音色を出せるようにした、トロンボーン様の笛を提供する。【解決手段】  笛の歌口の空気の通り道の角度を２段階以上に変え、空気の量や空気の質を柔らかくし、その空気の当たる側の外壁の形状を水平面ではなく円筒状にする。笛本体の外壁と内側のピストンとの隙間を０．０９ｍｍ〜０．２ｍｍの範囲とし、反射する音とぬける音とを調節して、正確な音階と良い音色を出せる笛にした。【選択図】図１
2011128577.tif 000002
【特許請求の範囲】
【請求項１】
笛本体の外壁と内側のピストンとの隙間を０．０９ｍｍ〜０．２ｍｍの範囲とし反射する音とぬける音とを調節して２．５オクターブ以内の音階を持つようにした笛。
【請求項２】
歌口の空気の通り道の角度を２段階以上に変えた請求項１に記載の笛。
【請求項３】
歌口の空気の当たり口を円筒状にした請求項１または請求項２に記載の笛。
【発明の詳細な説明】
【技術分野】
【０００１】  本発明はトロンボーン様の吹き方をする笛に関する。
【背景技術】
【０００２】  音階を連続して自在に変えることができる笛として、笛本体に可動式のすべり軸をはめこみ、これを伸縮するもの（特許文献１参照）や、笛本体に中空のスティック体を差し込み、さらに丸棒をスティック体の内部に可動自在に収納するもの（特許文献２参照）や、笛本体の中を可動する軸の先端に可動栓を設け、その先端にストッパーを設け、笛本体の末端部に軸を受ける軸受けを設けて、可動栓をスムーズに動かせるようにしたもの（特許文献３参照）が知られている。
【先行技術文献】
【特許文献】
【０００３】
【特許文献１】実開平８−１１１３
【特許文献２】特開２００１−１４２４６４
【特許文献３】実登３１０４８６３
【発明の概要】
【発明が解決しようとする課題】
【０００４】  従来のすべり軸や丸棒は、笛本体内側との摩擦によりスムーズに動かすことは困難であった。また、すべり軸や丸棒と笛本体内側との隙間が大き過ぎ、空気がその隙間からぬけ過ぎて、正確な音程が取れず高度な演奏は困難であった。これらを改善した特許文献３は可動栓がスムーズに動かせるようになり、したがって操作性が大幅に改善され、音階を連続して自在に変えることができるようになった。しかし、この笛から発せられる音も、演奏を行うにはその音階が満足できるものとは言い難かった。【０００５】  そこで、本発明は、音階を連続して自在に変えることができるとともに、他の楽器とのセッションが可能である音色をもった笛を提供するものである。
【課題を解決するための手段】
【０００６】  本発明者は、笛本体の外壁と内側のピストンとの間隙が響き出る音に大きく影響することを、試作を繰り返しながら習得し、本発明をするに至った。【０００７】  すなわち、本発明の笛は、笛本体の外壁と内側のピストンとの隙間を０．０９ｍｍ〜０．２ｍｍの範囲とし、反射する音とぬける音とを調節して２．５オクターブ以内の音階をもつようにする。【０００８】  さらに、歌口の空気の通り道の角度を２段階以上に変えるようにする。【０００９】  さらに、歌口の空気の当たり口を円筒状にする。
以上を行うことによって、前記課題を解決した。
【発明の効果】
【００１０】  本発明の笛は、外壁と内側のピストンとの隙間が０．０９ｍｍ〜０．２ｍｍの範囲の精密な構造であるため、ピストンの上げ下げだけで２．５オクターブ以内の半音を含むすべての音階を正確に出すことができ、手の指で穴をふさぐ必要がないので、幼児から大人、高齢の人まで、短時間にマスターして音楽を楽しむことができる。【００１１】  また、本発明の笛は、従来の楽器のように楽譜等を見て演奏する必要はなく、口笛を吹くようにハミングするだけで、高度な楽曲でも演奏することができ、唱歌、民謡、歌謡曲、クラシック等、あらゆるジャンルの曲を吹くことができる。【００１２】  また、本発明の笛は、音楽が演奏できるだけでなく、鈴虫、コオロギ、キリギリス等の虫や、小鳥のさえずりを真似ることができる。【００１３】  また、本発明の笛は、長さが２５ｃｍほどで、外壁の直径が２ｃｍほどの人の手の平に載るコンパクトなものであるので、ポケット等に入れて、どこにでも簡単に持ち運ぶことができ、気軽に演奏を楽しむことができる。
【図面の簡単な説明】
【００１４】
【図１】笛の全体断面図。笛の外壁と内側のピストンの隙間クリアランスを示す。
【図２】歌口空気の通り道の断面図。途中で変化する角度Ｂと角度Ａを示す。
【図３】歌口空気の通り道からの空気の当たる側の外壁の形状の斜視図、平面図  側面図。
【図４】図２の詳細断面図。
【図５】歌口空気の通り道の最終部分。
【図６】空気が当たる側の外壁の形状。
【図７】空気の流れの詳細図。矢印で空気の流れを示す。
【発明を実施するための形態】
【００１５】  図１に本発明の笛の全体断面図を示す。本発明の笛の歌口空気の通り道を水平面にするのではなく、例えば一例として途中で２段階の角度Ａと角度Ｂにして、正確な音階と、美しい音色、強く大きい音が出るようにする。
【００１６】  図２にその角度の曲がり具合を示す。たとえば角度Ａを８度に角度Ｂを１５度にする。
【００１７】  図２を見ての通り、歌口の空気の通り道を角度Ｂを１５度にしたのは、なるべく空気の量を多く取り入れ、音量を大きくするためであり、その後、角度Ａを８度に狭くしたのは、音質や音階を正しく、美しくするためである。
【００１８】  なぜ歌口の空気の通り道を２つの角度、角度Ｂと角度Ａにすると正しい音階と良い音が出るかというと、まず角度Ｂで空気を大量に取り入れ、それを送り出し狭くなっている、角度Ａの所で空気を圧縮し、微妙に空気の量を調整し、空気の当たる側８、すなわち外側の部分（図３の１、２、３で示す）へ空気を当て良い音が出るようにしているからである。
【００１９】  本発明の笛の特徴は歌口の空気の通り道から出た空気が、当たる側の外壁の形にも他の楽器にない特殊な形状になっている。
従来のスライドホイッスル等の楽器は、その部分は水平面な直線の形であるがこの笛は図３を見てわかるように、外壁の円筒状にそって削り、その形を円筒状にしてある。
【００２０】  なぜ円筒状にすると、良い音が出るかと言うと、実は空気を送り出す側の歌口の空気の通り道の最終部分７も円筒状に作ってあり（図４と図５を参照）、さらに空気の通り道の最終部分７と空気が当たる側の外壁８が同じ円筒状の相似形を作り、かつ空気の通り道の最終部分７と空気が当たる側の外壁８とに、わずかな高低差を作る事によって、高度な演奏に耐えうる美しい音色が出るようにしたからである。
【００２１】  また笛本体の外壁と内側のピストン９との隙間を０．０９ｍｍ〜０．２ｍｍの範囲にすると、なぜ正しい音階と良い音が出るのかと言うと、図７に示すように、内側のピストン９に跳ね返る音と、ピストン９と外壁の隙間から漏れる音による、微妙なバランス調整で、精密なエンジンピストンのような働きをして、高度な演奏に耐えうる、正確な音階を出すようにしたからである。
【産業上の利用可能性】
【００２２】  本発明は管楽器の歌口の通り道の形と空気が当たる側の外壁の形の構造に変革をもたらす可能性がある。
【符号の説明】
【００２３】１    空気が当たる側の外壁。
２    空気が当たる側の外壁。
３    空気が当たる側の外壁。
４    笛の外壁と内側のピストンの隙間クリアランス。
５    歌口の空気の通り道の角度Ｂ。
６    歌口の空気の通り道の角度Ａ。
７    歌口の空気の通り道の最終部分。
８    空気が当たる側の外壁。
９    ピストン。
【図１】
2011128577.tif 000003
【図２】
2011128577.tif 000004
【図３】
2011128577.tif 000005
【図４】
2011128577.tif 000006
【図５】
2011128577.tif 000007
【図６】
2011128577.tif 000008
【図７】
2011128577.tif 000009